(57)【要約】      （修正有）【課題】ボトルキャップの開栓作業を容易に行うことを可能にしたボトルキャップ開栓具及びボトルホルダーを提供する。【解決手段】ボトルキャップ開栓具１０は、ボトルキャップと嵌合する中空部２を備えた環状のゴム部材１からなり、ゴム部材の内周面１Ａと側面１Ｂとが連接する部位にゴム部材の周方向に沿って面取り部１Ｄが形成されている。ボトルホルダーは、ボトルキャップ開栓具１０と、ゴム部材に装着された取り付け部材と、係合機能を有する係合部材と、取り付け部材と係合部材とを互いに連結する連結部材とを備えている。【選択図】図２
0003224974.tif 000002
【実用新案登録請求の範囲】
【請求項１】
ボトルキャップと嵌合する中空部を備えた環状のゴム部材からなり、前記ゴム部材の内周面と側面とが連接する部位に前記ゴム部材の周方向に沿って面取り部が形成されていることを特徴とするボトルキャップ開栓具。
【請求項２】
前記ゴム部材の内周面に該ゴム部材の周方向に沿って断続的又は連続的に突起部が形成されていることを特徴とする請求項１に記載のボトルキャップ開栓具。
【請求項３】
前記突起部は薄膜状体であることを特徴とする請求項２に記載のボトルキャップ開栓具。
【請求項４】
前記薄膜状体は、厚さが０．０５ｍｍ〜０．５０ｍｍであり、高さが０．１０ｍｍ〜２．００ｍｍであることを特徴とする請求項３に記載のボトルキャップ開栓具。
【請求項５】
前記ゴム部材は円環形状を有することを特徴とする請求項１〜４のいずれかに記載のボトルキャップ開栓具。
【請求項６】
前記ゴム部材の外径Ｒは、該ゴム部材の内径ｒに対して、１．５≦Ｒ／ｒ≦２．０の関係を満足することを特徴とする請求項５に記載のボトルキャップ開栓具。
【請求項７】
前記ゴム部材の外周面に該ゴム部材の周方向又は幅方向に延びる溝が形成されていることを特徴とする請求項１〜６のいずれかに記載のボトルキャップ開栓具。
【請求項８】
前記ゴム部材は、ジエン系ゴムからなり、ＪＩＳ−Ａ硬度が４０〜７０の範囲にあることを特徴とする請求項１〜７のいずれかに記載のボトルキャップ開栓具。
【請求項９】
前記ゴム部材は、その径方向内側部分に使用される第１ゴム組成物とその径方向外側部分に使用される第２ゴム組成物とを含む少なくとも２種類のゴム組成物で構成されていることを特徴とする請求項１〜８のいずれかに記載のボトルキャップ開栓具。
【請求項１０】
前記第１ゴム組成物は前記第２ゴム組成物よりも軟らかいことを特徴とする請求項９に記載のボトルキャップ開栓具。
【請求項１１】
請求項１〜１０のいずれかに記載のボトルキャップ開栓具と、前記ゴム部材に装着された取り付け部材と、係合機能を有する係合部材と、前記取り付け部材と前記係合部材とを互いに連結する連結部材とを備えることを特徴とするボトルホルダー。
【考案の詳細な説明】
【技術分野】
【０００１】
本考案は、ボトルキャップを開栓するための開栓具及びその開栓具を備えたボトルホルダーに関し、更に詳しくは、ボトルキャップの開栓作業を容易に行うことを可能にしたボトルキャップ開栓具及びボトルホルダーに関する。
【背景技術】
【０００２】
飲料用ボトル等に装着されたボトルキャップは、それ自体を捻ることで開栓される。このようなボトルキャップの開栓作業を補助するために、種々のボトルキャップ開栓具が提案されている。その一例として、ボトルキャップの縦方向に刻まれた滑り止め溝に沿うように縦方向に刻みを入れた２枚のゴムシートがゴムリングの内側に取り付けられたボトルキャップ開栓具が提案されている（例えば、特許文献１参照）。また、ボトルキャップに嵌合する開孔部を備えた板状の本体部を備え、キャップの周囲に形成された凹凸と同数になるように開孔部の周囲に凹凸部を設けたボトルキャップ開栓具が提案されている（例えば、特許文献２参照）。
【０００３】
しかしながら、上述のような構造を有するボトルキャップ開栓具では、開栓時におけるボトルキャップと開栓具との一体性を確保するために、開栓具の嵌合部分の寸法をボトルキャップの外径寸法に近付ける必要がある。そのため、ボトルキャップに対して開栓具を嵌め込むことが困難であり、ボトルキャップの開栓作業が煩わしいという問題がある。
【先行技術文献】
【特許文献】
【０００４】
【特許文献１】特許第４１８３１４４号公報
【特許文献２】実用新案登録第３１８９６３７号公報
【考案の概要】
【考案が解決しようとする課題】
【０００５】
本考案の目的は、ボトルキャップの開栓作業を容易に行うことを可能にしたボトルキャップ開栓具及びボトルホルダーを提供することにある。
【課題を解決するための手段】
【０００６】
上記目的を達成するための本考案のボトルキャップ開栓具は、ボトルキャップと嵌合する中空部を備えた環状のゴム部材からなり、前記ゴム部材の内周面と側面とが連接する部位に前記ゴム部材の周方向に沿って面取り部が形成されていることを特徴とするものである。
【０００７】
また、上記目的を達成するための本考案のボトルホルダーは、上述のボトルキャップ開栓具と、前記ゴム部材に装着された取り付け部材と、係合機能を有する係合部材と、前記取り付け部材と前記係合部材とを互いに連結する連結部材とを備えることを特徴とするものである。
【考案の効果】
【０００８】
本考案では、ボトルキャップ開栓具は、ボトルキャップと嵌合する中空部を備えた環状のゴム部材からなり、ゴム部材の内周面と側面とが連接する部位にゴム部材の周方向に沿って面取り部が形成されているので、ゴム部材の内径寸法をボトルキャップの外径寸法に近付けた場合であっても、ゴム部材の中空部にボトルキャップを簡単に嵌め込むことができ、ボトルキャップの開栓作業を容易に行うことができる。
【０００９】
本考案において、ゴム部材の内周面に該ゴム部材の周方向に沿って断続的又は連続的に突起部が形成されていることが好ましい。このような突起部をゴム部材の内周面に設けることにより、ボトルキャップがゴム部材に対して強固に圧着されるため開栓機能が向上する。
【００１０】
突起部は薄膜状体であることが好ましい。薄膜状体は任意に変形可能であり、ボトルキャップの外周面に形成された溝に噛み込まれてボトルキャップとゴム部材との嵌合圧を高めるように作用し、その結果、開栓機能が向上する。このような薄膜状体は、厚さが０．０５ｍｍ〜０．５０ｍｍであり、高さが０．１０ｍｍ〜２．００ｍｍであることが好ましい。
【００１１】
ゴム部材は円環形状を有することが好ましい。このような形状を採用した場合、ゴム部材を把持し易くなるため開栓機能が向上する。この場合、ゴム部材の外径Ｒは、ゴム部材の内径ｒに対して、１．５≦Ｒ／ｒ≦２．０の関係を満足することが好ましい。このような寸法を採用することにより、ボトルキャップ開栓具のゴム部材を握り易く、かつ、開栓時に適度なトルクを得ることができる。
【００１２】
ゴム部材の外周面には該ゴム部材の周方向又は幅方向に延びる溝が形成されていることが好ましい。このような溝を設けることにより、ボトルキャップ開栓具のゴム部材を把持した際に滑り難くなり、ボトルキャップ開栓具を使い易くなる。
【００１３】
ゴム部材は、ジエン系ゴムからなり、ＪＩＳ−Ａ硬度が４０〜７０の範囲にあることが好ましい。ゴム部材のＪＩＳ−Ａ硬度を適正化することにより、ボトルキャップに対するゴム部材の着脱性を良好に維持しながら、開栓時に適度なトルクを伝達することができる。
【００１４】
ゴム部材は、その径方向内側部分に使用される第１ゴム組成物とその径方向外側部分に使用される第２ゴム組成物とを含む少なくとも２種類のゴム組成物で構成されていることが好ましい。ゴム部材の径方向内側部分と径方向外側部分に要求される特性に基づいてゴム組成物を異ならせることが可能である。例えば、第１ゴム組成物は第２ゴム組成物よりも軟らかいことが好ましい。ゴム部材の径方向内側部分を相対的に軟らかくすることにより、ボトルキャップに対するゴム部材の着脱性を良好に維持しながら、ゴム部材をしっかりと把持することができる。
【００１５】
本発明によれば、上述したボトルキャップ開栓具と、ゴム部材に装着された取り付け部材と、係合機能を有する係合部材と、取り付け部材と係合部材とを互いに連結する連結部材とを備えたボトルホルダーが提供される。このようなボトルホルダーを構成した場合、ゴム部材にボトルキャップを嵌合させた状態で係合部材を鞄や着衣等の任意の部位に係合させることにより、ボトルを携帯することができる。また、ボトルキャップを開栓する際にはボトルキャップ開栓具としても機能する。
【００１６】
本考案において、ＪＩＳ−Ａ硬度は、ＪＩＳ−Ｋ６２５３に準拠して、Ａタイプのデュロメータを用いて温度２０℃の条件にて測定されるデュロメータ硬さである。
【図面の簡単な説明】
【００１７】
【図１】本考案の実施形態からなるボトルキャップ開栓具を示す側面図である。
【図２】図１のボトルキャップ開栓具を一部切り欠いて示す正面図である。
【図３】図１のボトルキャップ開栓具によるボトルキャップの開栓方法を示す正面図である。
【図４】本考案の他の実施形態からなるボトルキャップ開栓具を一部切り欠いて示す正面図である。
【図５】本考案の実施形態からなるボトルホルダーを示す側面図である。
【考案を実施するための形態】
【００１８】
以下、本考案の構成について添付の図面を参照しながら詳細に説明する。図１及び図２は本考案の実施形態からなるボトルキャップ開栓具を示し、図３はそのボトルキャップ開栓具によるボトルキャップの開栓方法を示すものである。
【００１９】
図１に示すように、本実施形態のボトルキャップ開栓具１０は、円環形状を有するゴム部材１から構成されている。このゴム部材１は、ボトルキャップＣ（図３参照）と嵌合する中空部２を備えている。また、ゴム部材１は、中空部２に対面する内周面１Ａと、該内周面１Ａに対して交差するようにゴム部材１の径方向に延在する一対の側面１Ｂ，１Ｂと、一対の側面１Ｂ，１Ｂを互いに連接する外周面１Ｃとを備えている。そして、図２に示すように、ゴム部材１の内周面１Ａと側面１Ｂとが連接する部位には、ゴム部材１の周方向に沿って面取り部１Ｄが形成されている。図１及び図２において、面取り部１Ｄは内周面１Ａから側面１Ｂに向かって滑らかに湾曲し、好ましくは、子午線断面視において曲率半径を持つ円弧状に加工されている。なお、面取り部１Ｄは内周面１Ａと側面１Ｂとを互いに繋ぐ傾斜面（即ち、円錐面）であっても良いが、図示のような湾曲面を採用した場合、ボトルキャップＣが中空部２に嵌り易いという利点がある。
【００２０】
次に、上述したボトルキャップ開栓具１０によるボトルキャップＣの開栓方法について説明する。図３において、ボトルＢの上端に形成された開口部にはボトルキャップＣが装着されている。ボトルキャップＣはスクリューキャップであり、開栓時には例えば反時計回りに回動させる必要がある。ボトルキャップＣを開栓する場合、先ず、ゴム部材１の中空部２をボトルキャップＣと嵌合させる。ゴム部材１の内径寸法がボトルキャップＣの外径寸法に近似する場合、ゴム部材１の中空部２をボトルキャップＣと嵌合させる作業が困難であるが、ゴム部材１の内周面１Ａと側面１Ｂとが連接する部位にゴム部材１の周方向に沿って面取り部１Ｄが形成されているので、ゴム部材１の中空部２にボトルキャップＣを簡単に嵌め込むことができる。そして、ゴム部材１の中空部２にボトルキャップＣを嵌合させた状態でゴム部材１を捻ることにより、ボトルキャップＣの開栓作業を容易に行うことができる。
【００２１】
ボトルキャップ開栓具１０において、ゴム部材１の内周面１Ａにはゴム部材１の周方向に沿って断続的又は連続的に突起部３が形成されている。このような突起部３をゴム部材１の内周面１Ａに設けた場合、ボトルキャップＣとゴム部材１との間に突起部３が挟み込まれるため、ボトルキャップＣがゴム部材１に対して強固に圧着される。これにより、開栓機能が向上する。
【００２２】
突起部３の形状は特に限定されるものではないが、突起部３は図示のような薄膜状体であると良い。薄膜状体からなる突起部３は任意に変形可能であり、ボトルキャップＣの外周面に形成された溝に噛み込まれてボトルキャップＣとゴム部材１との嵌合圧を高めるように作用する。これにより、開栓機能が向上する。また、後述するボトルホルダーにおいては、ボトルの脱落を防止することができる。このような薄膜状体は、厚さが０．０５ｍｍ〜０．５０ｍｍであり、高さが０．１０ｍｍ〜２．００ｍｍであると良い。薄膜状体の厚さが０．０５ｍｍより小さいとボトルキャップＣの開栓作業により突起部３が破損し易くなり、逆に０．５０ｍｍよりも大きいとボトルキャップＣの嵌合性が悪くなる。また、薄膜状体の高さが０．１０ｍｍよりも小さいと嵌合圧を高める効果が不十分になり、逆に２．００ｍｍよりも大きいとボトルキャップＣの嵌合性が悪くなる。特に、薄膜状体は、厚さが０．１０ｍｍ〜０．４０ｍｍであり、高さが０．３０ｍｍ〜２．００ｍｍであることが望ましい。
【００２３】
ボトルキャップ開栓具１０において、ゴム部材１は図示のような円環形状（タイヤ形状）を有していると良い。このような形状を採用した場合、ゴム部材１を把持し易くなるため開栓機能が向上する。この場合、ゴム部材１の外径Ｒは、ゴム部材１の内径ｒに対して、１．５≦Ｒ／ｒ≦２．０の関係を満足していると良い。このような寸法を採用することにより、ボトルキャップ開栓具１０のゴム部材１を握り易く、かつ、開栓時に適度なトルクを得ることができる。つまり、Ｒ／ｒの値が１．５よりも小さいと開栓時に十分なトルクを得ることが困難になり、逆に２．０よりも大きいとゴム部材１を把持し難くなる。また、ゴム部材１の内径ｒは特に限定されるものではないが、例えば２８．０ｍｍ〜３２．０ｍｍの範囲に設定される。特に、一般的なペットボトルのキャップ外径に鑑みて、２８．０ｍｍ〜３０．０ｍｍの範囲に設定することが好ましい。
【００２４】
ボトルキャップ開栓具１０において、ゴム部材１の外周面１Ｃにはゴム部材１の周方向に延びる溝４が形成されている。このような溝４を設けることにより、ボトルキャップ開栓具１０のゴム部材１を把持した際に滑り難くなり、ボトルキャップ開栓具１０を使い易くなる。図２では、ゴム部材１の外周面１Ｃにゴム部材１の周方向に延びる溝４が形成されているが、溝４はゴム部材１の幅方向に延びていても良い。また、ゴム部材１の外周面１Ｃにはゴム部材１の周方向に延びる溝４とゴム部材１の幅方向に延びる溝４とが混在していても良い。このような溝４は滑り防止機能を発揮すると共に、ボトルキャップ開栓具１０の意匠性の改善にも貢献する。
【００２５】
ボトルキャップ開栓具１０において、ゴム部材１はジエン系ゴムから構成することができる。そして、ゴム部材１のＪＩＳ−Ａ硬度は４０〜７０の範囲にあると良い。ゴム部材１のＪＩＳ−Ａ硬度を適正化することにより、ボトルキャップＣに対するゴム部材１の着脱性を良好に維持しながら、開栓時に適度なトルクを伝達することができる。ゴム部材１のＪＩＳ−Ａ硬度が４０よりも低いと開栓時に適度なトルクを伝達することができず、逆に７０よりも高いとボトルキャップＣの嵌合性が悪くなる。特に、ゴム部材１のＪＩＳ−Ａ硬度は４５〜６５の範囲にあることが望ましい。
【００２６】
ジエン系ゴムとしては、特に限定されるものではないが、天然ゴム（ＮＲ）、イソプレンゴム（ＩＲ）、スチレンブタジエンゴム（ＳＢＲ）、ブタジエンゴム（ＢＲ）等が挙げられる。ジエン系ゴムを含むゴム組成物には、カーボンブラック等の充填剤、加硫剤、加硫促進剤、老化防止剤、軟化剤、樹脂等を適宜配合することができる。
【００２７】
図４は本考案の他の実施形態からなるボトルキャップ開栓具を示すものである。図４において、図１及び図２と同一物には同一符号を付してその部分の詳細な説明は省略する。図４に示すように、ゴム部材１は、径方向の任意の位置で区分された径方向内側部分１ｉと径方向外側部分１ｏとを有し、径方向内側部分１ｉは第１ゴム組成物から構成され、径方向外側部分１ｏは第２ゴム組成物から構成されている。これら第１ゴム組成物及び第２のゴム組成物は互いに異なる物性を有している。このようにゴム部材１の径方向内側部分１ｉと径方向外側部分１ｏに要求される特性に基づいてゴム組成物を異ならせることが可能である。
【００２８】
例えば、径方向内側部分１ｉに使用される第１ゴム組成物は径方向外側部分１ｏに使用される第２ゴム組成物よりも軟らかくすることができる。このようにゴム部材１の径方向内側部分１ｉを相対的に軟らかくすることにより、ボトルキャップＣに対するゴム部材１の着脱性を良好に維持しながら、ゴム部材１をしっかりと把持することができる。第１ゴム組成物及び第２ゴム組成物の物性を選択するにあたって、硬さのみならず他の物性を考慮することが可能である。例えば、径方向外側部分１ｏに使用される第２ゴム組成物について耐久性や耐オゾン性を相対的に高めることも可能である。この場合、ボトルキャップ開栓具１０を長期間にわたって使用することが可能になる。また、ゴム部材１は３種類以上のゴム組成物で構成されていても良い。この場合、径方向内側部分１ｉと径方向外側部分１ｏとの間に中間層を挿入すれば良い。
【００２９】
図５は本考案の実施形態からなるボトルホルダーを示すものである。図５に示すように、本実施形態のボトルホルダー２０は、上述したボトルキャップ開栓具１０と、そのボトルキャップ開栓具１０を構成するゴム部材１に装着された取り付け部材１１と、係合機能を有する係合部材１２と、取り付け部材１１と係合部材１２とを互いに連結する連結部材１３とを備えている。
【００３０】
取り付け部材１１は、ゴム部材１に装着されていて他の部材の取り付けを許容する構造を有しているが、その構成は特に限定されるものではない。例えば、図５に示すように、取り付け金具１１として、ネジ部とループ部とを備えたヒートン金具等が挙げられる。このような取り付け部材１１をゴム部材１に装着する場合、取り付け部材１１とゴム部材１との接触部分に接着剤を塗布することが好ましい。これにより、取り付け部材１１の脱落を防止することができる。また、金属製の取り付け部材１１をゴム製のゴム部材１１に対して加硫接着することも可能である。
【００３１】
係合部材１２は、他の部材に対する係合を可能にする構造を有しているが、その構造は特に限定されるものではない。例えば、図５に示すように、係合部材１２として、Ｃ字状に成形された本体と、本体の一方の端部に回動自在に軸支されたゲート部材と、本体の他方の端部に形成されたストッパー部とを備え、ゲート部材がストッパー部に向かって弾性的に付勢された構造を有するカラビナ等が挙げられる。ゲート部材をストッパー部に向かって付勢させる手段としては、板バネやコイルバネ等のバネ体を使用することが可能であるが、ゲート部材の一部にバネ特性を与えることも可能である。勿論、複数のバネ体を併用することも可能である。
【００３２】
連結部材１３は、取り付け部材１１と係合部材１２とを互いに連結する構造を有しているが、その具体的な構成は特に限定されるものではない。例えば、図５に示すように、連結部材１３として、金属製のコイル状リング等が挙げられる。他の連結部材１３として、帯状ストラップ、紐状体、チェーン等が挙げられる。勿論、連結部材１３は複数の構成要素を組み合わせることで形成されていても良い。また、連結部材１３は取り付け部材１１又は係合部材１２に対して着脱自在に連結されていても良く、或いは、着脱不可の状態で連結されていても良い。更に、カラビナのような係合部材１２については、係合部材１２の一部に穴を設け、その穴に対して連結部材１３を連結することも可能である。
【００３３】
上述のようなボトルホルダー２０によれば、ゴム部材１にボトルキャップＣを嵌合させた状態で係合部材１２を鞄や着衣等の任意の部位に係合させることにより、ボトルＢを携帯することができる。また、ボトルホルダー２０の一部にボトルキャップ開栓具１０が組み込まれているので、ボトルキャップ開栓具１０を捻ることによりボトルキャップＣを容易に開栓することができる。
【実施例】
【００３４】
中空部を有する円環形状のゴム部材からなるボトルキャップ開栓具を実際に製造した。円環形状のゴム部材は、外径Ｒが４５ｍｍであり、内径ｒが２８ｍｍである。円環形状のゴム部材は、径方向の任意の位置で区分された径方向内側部分と径方向外側部分とを含む積層構造を有し、径方向内側部分にはジエン系ゴムを含む第１ゴム組成物（加硫後のＪＩＳ−Ａ硬度：４５）を使用し、径方向外側部分にはジエン系ゴムを含む第２ゴム組成物（加硫後のＪＩＳ−Ａ硬度：６５）を使用した。
【００３５】
先ず、上述した第１ゴム組成物及び第２ゴム組成物を用いて未加硫状態の環状成形体を成形した。次いで、円環形状のゴム部材に対応するキャビティを有する金型内に未加硫状態の環状成形体を投入し、１５５℃〜１７５℃の温度範囲で２０分間加硫した。加硫後、円環形状のゴム部材に形成されたバリ等の不要な部分を切除し、その外観形状を整えた。得られた円環形状のゴム部材は、内周面と側面とが連接する部位にゴム部材の周方向に沿って面取り部を備えている。また、ゴム部材の内周面にはその周方向に沿って断続的に複数個の突起部が形成され、ゴム部材の外周面にはその周方向に延びる複数本の溝が形成されている。
【００３６】
このようにして得られたボトルキャップ開栓具を用いてボトルキャップの開栓作業を行った。その結果、ゴム部材の内周面と側面とが連接する部位にゴム部材の周方向に沿って面取り部が形成されているため、ゴム部材の中空部にボトルキャップを簡単に嵌め込むことができた。また、ゴム部材の中空部にボトルキャップを嵌合させた状態でゴム部材を捻ることにより、ボトルキャップの開栓作業を容易に行うことができた。
【符号の説明】
【００３７】
１  ゴム部材
１Ａ  内周面
１Ｂ  側面
１Ｃ  外周面
１Ｄ  面取り部
１ｉ  径方向内側部分
１ｏ  径方向外側部分
２  中空部
３  突起部
４  溝
１０  ボトルキャップ開栓具
１１  取り付け部材
１２  係合部材
１３  連結部材
２０  ボトルホルダー
Ｂ  ボトル
Ｃ  ボトルキャップ
【図１】
0003224974.tif 000003
【図２】
0003224974.tif 000004
【図３】
0003224974.tif 000005
【図４】
0003224974.tif 000006
【図５】
0003224974.tif 000007